(57)【特許請求の範囲】
【請求項１】
送信サーバと携帯端末とによって構成されており、前記携帯端末に対して同報メッセージが無線回線によって同報配信される緊急情報配信システムであって、
前記送信サーバは、
緊急事態の発生を少なくとも示す緊急情報を生成する第１生成部と、
前記同報メッセージの着信動作を少なくとも示す着信動作識別子を生成する第２生成部と、
前記緊急情報及び前記着信動作識別子を含む前記同報メッセージを送信する送信部とを有しており、
前記携帯端末は、
前記緊急情報及び前記着信動作識別子を含む前記同報メッセージを着信する着信部と、
前記着信動作識別子によって示される着信動作に従って、前記同報メッセージの着信動作を実行する着信処理部とを有しており、
前記無線回線における前記同報メッセージは、メッセージの内容が格納されるメッセージフィールドと、特定のメッセージ種別を示すビットが格納される特定種別フィールドとを少なくとも含むフォーマットを有しており、
前記緊急情報は、前記メッセージフィールドに含まれており、
前記着信動作識別子は、前記メッセージフィールドとは別の前記特定種別フィールドに含まれているとともに、前記緊急情報よりも少ない情報量で送信されることを特徴とする緊急情報配信システム。
【請求項２】
前記携帯端末は、
前記同報メッセージの着信動作を記憶する記憶部と、
前記着信動作識別子によって示される着信動作に従うか否かを判定する判定部とをさらに有しており、
前記着信処理部は、前記着信動作識別子によって示される着信動作に従わないと判定された場合に、前記記憶部に記憶された着信動作に従って、前記同報メッセージの着信動作を実行することを特徴とする請求項１に記載の緊急情報配信システム。
【請求項３】
前記着信動作識別子は、前記メッセージフィールドとは別の前記特定種別フィールドを構成する“Ｓｅｒｉａｌ  Ｎｕｍｂｅｒ”の“Ｍｅｓｓａｇｅ  Ｃｏｄｅ”に含まれていることを特徴とする請求項１に記載の緊急情報配信システム。
【請求項４】
送信サーバと携帯端末とによって構成された緊急情報配信システムにおいて、前記携帯端末に対して同報メッセージが無線回線によって同報配信される緊急情報配信方法であって、
前記送信サーバが、緊急事態の発生を少なくとも示す緊急情報を生成するステップと、
前記送信サーバが、前記同報メッセージの着信動作を少なくとも示す着信動作識別子を生成するステップと、
前記送信サーバが、前記緊急情報及び前記着信動作識別子を含む前記同報メッセージを送信するステップと、
前記携帯端末が、前記着信動作識別子によって示される着信動作に従って、前記同報メッセージの着信動作を実行するステップとを含み、
前記無線回線における前記同報メッセージは、メッセージの内容が格納されるメッセージフィールドと、特定のメッセージ種別を示すビットが格納される特定種別フィールドとを少なくとも含むフォーマットを有しており、
前記緊急情報は、前記メッセージフィールドに含まれており、
前記着信動作識別子は、前記メッセージフィールドとは別の前記特定種別フィールドに含まれているとともに、前記緊急情報よりも少ない情報量で送信されることを特徴とする緊急情報配信方法。
【請求項５】
前記携帯端末に対して同報メッセージが無線回線によって同報配信される緊急情報配信システムにおいて、前記同報メッセージを送信する送信サーバであって、
緊急事態の発生を少なくとも示す緊急情報を生成する第１生成部と、
前記同報メッセージの着信動作を少なくとも示す着信動作識別子を生成する第２生成部と、
前記緊急情報及び前記着信動作識別子を含む前記同報メッセージを送信する送信部とを備えており、
前記無線回線における前記同報メッセージは、メッセージの内容が格納されるメッセージフィールドと、特定のメッセージ種別を示すビットが格納される特定種別フィールドとを少なくとも含むフォーマットを有しており、
前記緊急情報は、前記メッセージフィールドに含まれており、
前記着信動作識別子は、前記メッセージフィールドとは別の前記特定種別フィールドに含まれているとともに、前記緊急情報よりも少ない情報量で送信されることを特徴とする送信サーバ。
【請求項６】
同報メッセージが無線回線によって同報配信される緊急情報配信システムにおいて、前記同報メッセージを着信する携帯端末であって、
緊急事態の発生を少なくとも示す緊急情報及び前記同報メッセージの着信動作を少なくとも示す着信動作識別子を含む前記同報メッセージを着信する着信部と、
前記着信動作識別子によって示される着信動作に従って、前記同報メッセージの着信動作を実行する着信処理部とを有しており、
前記無線回線における前記同報メッセージは、メッセージの内容が格納されるメッセージフィールドと、特定のメッセージ種別を示すビットが格納される特定種別フィールドとを少なくとも含むフォーマットを有しており、
前記緊急情報は、前記メッセージフィールドに含まれており、
前記着信動作識別子は、前記メッセージフィールドとは別の前記特定種別フィールドに含まれているとともに、前記緊急情報よりも少ない情報量で送信されることを特徴とする携帯端末。
【発明の詳細な説明】
【技術分野】
【０００１】
本発明は、緊急情報を含む同報メッセージが無線回線によって同報配信される緊急情報配信システム、緊急情報配信方法、送信サーバ及び携帯端末に関する。
【背景技術】
【０００２】
地震、津波、台風、豪雨、火山噴火、河川氾濫等の災害に対する対策が求められている。災害に対して迅速に対応するためには、災害の発生、位置、規模及び状況などを示す災害情報を地域住民などに伝達することが重要である。
【０００３】
災害情報を伝達する方法としては、防災無線システムが知られている。防災無線システムは、国や地方公共団体が災害情報の収集及び伝達を目的として構築されたシステムである。防災無線システムは、市町村防災無線、都道府県防災行政無線、消防防災無線、中央防災無線などを含む。
【０００４】
ここで、地域住民にとって最も身近な市町村防災無線としては、屋外スピーカによって防災情報の報知を行う同報報知方法が挙げられる。但し、騒音などの問題を生じるため、このような方法は好ましくない。
【０００５】
これに対して、移動体通信網を利用して、災害情報を携帯端末に同報送信する技術が提案されている。同報配信技術としては、ＣＢＳ（Ｃｅｌｌ  Ｂｒｏａｄｃａｓｔ  Ｓｅｒｖｉｃｅ）やＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）などが提案されている。
【０００６】
ＣＢＳは、３ＧＰＰ（３ｒｄ  Ｇｅｎｅｒａｔｉｏｎ  Ｐｅｒｒｔｎｅｒｓｈｉｐ  Ｐｒｏｊｅｃｔ）で仕様が定められた技術である。ＣＢＳでは、指定エリア（セル）に在圏する携帯端末に対して、テキスト等のメッセージが同報配信される（例えば、非特許文献１）。
【０００７】
ＭＢＭＳは、ＣＢＳと同様に、３ＧＰＰで仕様が定められた技術である。ＭＢＭＳでは、テキストだけではなく、動画像等のマルチメディアデータが同報配信される（例えば、非特許文献２）。
【０００８】
また、ＣＢＳやＭＢＭＳを用いて災害情報を配信する際に、携帯端末の着信動作を指定する技術も提案されている。この技術では、地震などの災害が発生した際に、アラーム音の出力やディスプレイの表示を指示するメッセージがＭＢＭＳで携帯端末に配信される（例えば、特許文献１）。
【非特許文献１】３ＧＰＰ  ＴＳ２３．４０１
【非特許文献１】３ＧＰＰ  ＴＳ２３．２４６
【特許文献１】特開２００５−３０９９９３
【発明の開示】
【発明が解決しようとする課題】
【０００９】
しかしながら、移動体通信網では、携帯端末と基地局との間の無線環境が劣悪であるようなケースでは、携帯端末が受信する信号の品質が著しく低下する。このようなケースでは、ＣＢＳやＭＢＭＳで配信されるメッセージ（災害情報）を携帯端末が適切に復調できないことが想定される。
【００１０】
すなわち、災害情報が基地局から同報で配信されたとしても、携帯端末のユーザに災害の発生などが通知されない可能性がある。
【００１１】
そこで、本発明は、上述した課題を解決するためになされたものであり、携帯端末のユーザに災害などの緊急事態の発生を通知する確実性の向上を図ることを可能とする緊急情報配信システム、緊急情報配信方法、送信サーバ及び携帯端末を提供することを目的とする。
【課題を解決するための手段】
【００１２】
第１の特徴に係る緊急情報配信システムは、送信サーバと携帯端末とによって構成されており、前記携帯端末に対して同報メッセージが無線回線によって同報配信される。前記送信サーバは、緊急事態の発生を少なくとも示す緊急情報を生成する第１生成部（緊急情報生成部１１）と、前記同報メッセージの着信動作を少なくとも示す着信動作識別子を生成する第２生成部（着信動作識別子１２）と、前記緊急情報及び前記着信動作識別子を含む前記同報メッセージを送信する送信部（通信部１４）とを有する。前記携帯端末は、前記緊急情報及び前記着信動作識別子を含む前記同報メッセージを着信する着信部（通信部４１）と、前記着信動作識別子によって示される着信動作に従って、前記同報メッセージの着信動作を実行する着信処理部（着信処理部４４）とを有する。前記無線回線における前記同報メッセージは、メッセージの内容が格納されるメッセージフィールドと、特定のメッセージ種別を示すビットが格納される特定種別フィールドとを少なくとも含むフォーマットを有する。前記緊急情報は、前記メッセージフィールドに含まれており、前記着信動作識別子は、前記特定種別フィールドに含まれている。
【００１３】
かかる特徴によれば、同報メッセージは、緊急情報及び着信動作識別子が別々なフィールドに含まれるフォーマットを有する。従って、無線環境が劣悪であるようなケースにおいて携帯端末が緊急情報を復調することができなくても、着信動作識別子に従った着信動作によって、何からの異常が生じたことをユーザに通知することができる。また、携帯端末が緊急情報の解析を行わなくても、特定種別フィールドに着信動作識別子が含まれるか否かによって、何からの異常が生じたことをユーザに通知することができる。すなわち、携帯端末のユーザに災害などの緊急事態の発生を通知する確実性の向上を図ることができる。
【００１４】
第１の特徴において、前記携帯端末は、前記同報メッセージの着信動作を記憶する記憶部（記憶部４２）と、前記着信動作識別子によって示される着信動作に従うか否かを判定する判定部（制御部４３）とをさらに有する。前記着信処理部は、前記着信動作識別子によって示される着信動作に従わないと判定された場合に、前記記憶部に記憶された着信動作に従って、前記同報メッセージの着信動作を実行する。
【００１５】
第２の特徴に係る緊急情報配信方法では、送信サーバと携帯端末とによって構成された緊急情報配信システムにおいて、前記携帯端末に対して同報メッセージが無線回線によって同報配信される。緊急情報配信方法は、前記送信サーバが、緊急事態の発生を少なくとも示す緊急情報を生成するステップと、前記送信サーバが、前記同報メッセージの着信動作を少なくとも示す着信動作識別子を生成するステップと、前記送信サーバが、前記緊急情報及び前記着信動作識別子を含む前記同報メッセージを送信するステップと、前記携帯端末が、前記着信動作識別子によって示される着信動作に従って、前記同報メッセージの着信動作を実行するステップとを含む。前記無線回線における前記同報メッセージは、メッセージの内容が格納されるメッセージフィールドと、特定のメッセージ種別を示すビットが格納される特定種別フィールドとを少なくとも含むフォーマットを有する。前記緊急情報は、前記メッセージフィールドに含まれており、前記着信動作識別子は、前記特定種別フィールドに含まれている。
【００１６】
第３の特徴に係る送信サーバは、前記携帯端末に対して同報メッセージが無線回線によって同報配信される緊急情報配信システムにおいて、前記同報メッセージを送信する。送信サーバは、緊急事態の発生を少なくとも示す緊急情報を生成する第１生成部と、前記同報メッセージの着信動作を少なくとも示す着信動作識別子を生成する第２生成部と、前記緊急情報及び前記着信動作識別子を含む前記同報メッセージを送信する送信部とを備える。前記無線回線における前記同報メッセージは、メッセージの内容が格納されるメッセージフィールドと、特定のメッセージ種別を示すビットが格納される特定種別フィールドとを少なくとも含むフォーマットを有する。前記緊急情報は、前記メッセージフィールドに含まれており、前記着信動作識別子は、前記特定種別フィールドに含まれている。
【００１７】
第４の特徴に係る携帯端末は、同報メッセージが無線回線によって同報配信される緊急情報配信システムにおいて、前記同報メッセージを着信する。携帯端末は、緊急事態の発生を少なくとも示す緊急情報及び前記同報メッセージの着信動作を少なくとも示す着信動作識別子を含む前記同報メッセージを着信する着信部と、前記着信動作識別子によって示される着信動作に従って、前記同報メッセージの着信動作を実行する着信処理部とを備える。前記無線回線における前記同報メッセージは、メッセージの内容が格納されるメッセージフィールドと、特定のメッセージ種別を示すビットが格納される特定種別フィールドとを少なくとも含むフォーマットを有する。前記緊急情報は、前記メッセージフィールドに含まれており、前記着信動作識別子は、前記特定種別フィールドに含まれている。
【発明の効果】
【００１８】
本発明によれば、携帯端末のユーザに災害などの緊急事態の発生を通知する確実性の向上を図ることを可能とする緊急情報配信システム、緊急情報配信方法、送信サーバ及び携帯端末を提供することができる。
【発明を実施するための最良の形態】
【００１９】
以下において、本発明の実施形態に係る緊急情報配信システムについて、図面を参照しながら説明する。なお、以下の図面の記載において、同一又は類似の部分には、同一又は類似の符号を付している。
【００２０】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２１】
［第１実施形態］
（緊急情報配信システムの構成）
以下において、第１実施形態に係る緊急情報配信システムの構成について、図面を参照しながら説明する。図１は、第１実施形態に係る緊急情報配信システムを示す図である。
【００２２】
図１に示すように、緊急情報配信システムは、送信サーバ（配信サーバ１０ａ〜配信サーバ１０ｃ）と、中継装置２０と、無線制御局３１と、基地局３２と、携帯端末（携帯端末４０ａ〜携帯端末４０ｃ）とを有する。
【００２３】
なお、配信サーバ１０ａ〜配信サーバ１０ｃは同様の構成を有するため、これらを送信サーバ１０と称する。同様に、携帯端末４０ａ〜携帯端末４０ｃは同様の構成を有するため、これらを携帯端末４０と称する。
【００２４】
送信サーバ１０は、同報メッセージを配信するサーバなどである。具体的には、送信サーバ１０は、災害などの緊急事態が発生した場合に、緊急事態の発生を少なくとも示す緊急情報を含む同報メッセージを送信する。送信サーバ１０の詳細については後述する（図２を参照）。
【００２５】
なお、同報配信技術としてＣＢＳ（Ｃｅｌｌ  Ｂｒｏａｄｃａｓｔ  Ｓｅｖｉｃｅ）が用いられる場合には、送信サーバ１０は、ＣＢＥ（Ｃｅｌｌ  Ｂｒｏａｄｃａｓｔ  Ｅｎｔｉｔｙ）として機能する。
【００２６】
中継装置２０は、送信サーバ１０から受信する同報メッセージの変換を行う。具体的には、中継装置２０は、送信サーバ１０から受信する同報メッセージ（変換前）を無線回線による同報配信に適したフォーマットに変換して、同報メッセージ（変換後）を取得する。続いて、中継装置２０は、同報メッセージ（変換後）を無線制御局３１に送信する。中継装置２０の詳細については後述する（図３を参照）。
【００２７】
なお、同報配信技術としてＣＢＳが用いられる場合には、中継装置２０は、ＣＢＣ（Ｃｅｌｌ  Ｂｒｏａｄｃａｓｔ  Ｃｅｎｔｅｒ）として機能する。このようなケースでは、中継装置２０は、ＳＢＡＰ（Ｓｅｒｖｉｃｅ  Ａｒｅａ  Ｂｒｏａｄｃａｓｔ  Ｐｒｏｔｏｃｏｌ）に適したフォーマットに同報メッセージを変換する。なお、ＳＢＡＰは、中継装置２０と無線制御局３１との間におけるプロトコルである。
【００２８】
無線制御局３１は、複数の基地局３２を管理しており、携帯端末４０に対する無線リソースの割り当てなどを行う。無線制御局３１は、中継装置２０から受信した同報メッセージを基地局３２に送信する。
【００２９】
基地局３２は、単数又は複数のセルを管理しており、セルに在圏する携帯端末４０と無線通信を行う。具体的には、基地局３２は、無線制御局３１から同報メッセージを受信する。続いて、基地局３２は、セルに在圏する携帯端末４０に同報メッセージを無線回線によって同報配信する。
【００３０】
携帯端末４０は、基地局３２と無線通信を行う携帯電話などである。具体的には、携帯端末４０は、基地局３２から同報メッセージを着信する。続いて、携帯端末４０は、同報メッセージの着信動作を実行し、同報メッセージに含まれる緊急情報を表示する。携帯端末４０の詳細については後述する（図５を参照）。
【００３１】
なお、同報配信技術としてＣＢＳが用いられる場合には、携帯端末４０は、ＭＴ（Ｍｏｂｉｌｅ  Ｔｅｒｍｉｎａｌ）として機能する。
【００３２】
ここで、無線制御局３１、基地局３２及び携帯端末４０は、ＲＡＮ１００（Ｒａｄｉｏ  Ａｃｃｅｓｓ  Ｎｅｔｗｏｒｋ）１００を構成することに留意すべきである。
【００３３】
（送信サーバの構成）
以下において、第１実施形態に係る送信サーバの構成について、図面を参照しながら説明する。図２は、第１実施形態に係る送信サーバ１０を示すブロック図である。
【００３４】
図２に示すように、送信サーバ１０は、緊急情報生成部１１と、着信動作識別子１２と、制御部１３と、通信部１４とを有する。
【００３５】
緊急情報生成部１１は、災害などの緊急事態が発生した場合に、緊急事態の発生を示す緊急情報を生成する。緊急情報は、緊急事態の発生だけではなくて、緊急事態の内容、緊急事態の重要度、緊急事態の発生位置などを含んでいてもよい。
【００３６】
なお、緊急情報生成部１１は、管理者によって入力された指示や自動プログラムに応じて、緊急情報を生成する。緊急情報は、テキストのみによって構成されていてもよく、テキスト及び画像によって構成されていてもよい。
【００３７】
着信動作識別子１２は、携帯端末４０の着信動作を少なくとも示す着信動作識別子を生成する。着信動作識別子としては、以下に示す識別子が挙げられる。
【００３８】
（1）ブザー鳴動識別子
ブザー鳴動識別子は、携帯端末４０に設けられたブザー鳴動機能によって、同報メッセージの着信を通知するか否かを示す識別子である。
【００３９】
（２）ライト点灯識別子
ライト点灯識別子は、携帯端末４０に設けられたライト（ＬＥＤなど）の点灯によって、同報メッセージの着信を通知するか否かを示す識別子である。
【００４０】
（３）端末振動識別子
端末振動識別子は、携帯端末４０に設けられたバイブレーション機能によって、同報メッセージの着信を通知するか否かを示す識別子である。
【００４１】
（４）ポップアップ表示識別子
ポップアップ表示識別子は、携帯端末４０に設けられたディスプレイ上に、同報メッセージに含まれる緊急情報をポップアップ表示するか否かを示す識別子である。
【００４２】
（５）ラジオ受信識別子
ラジオ受信識別子は、携帯端末４０に設けられたラジオ受信機能を起動するか否かを示す識別子である。なお、ラジオ受信機能の起動によって受信するチャネルとして、災害情報などが配信されるチャネルが登録されていることが好ましい。
【００４３】
（６）ＴＶ受信識別子
ＴＶ受信識別子は、携帯端末４０に設けられたＴＶ受信機能（ワンセグメント受信機能）を起動するか否かを示す識別子である。なお、ＴＶ受信機能の起動によって受信するチャネルとして、災害情報などが配信されるチャネルが登録されていることが好ましい。
【００４４】
（７）電話発信識別子
電話発信識別子は、緊急連絡先に対して自動的に電話発信を開始するか否かを示す識別子である。なお、緊急連絡先は予め登録されていることが好ましい。
【００４５】
（８）位置情報登録識別子
位置情報登録識別子は、携帯端末４０の位置をサーバなどに登録するか否かを示す識別子である。なお、携帯端末４０の位置は、携帯端末４０に設けられたＧＰＳ機能、基地局３２から受信する報知信号などによって特定可能である。
【００４６】
（９）省電力識別子
省電力識別子は、携帯端末４０に設けられた省電力モードを開始するか否かを示す識別子である。
【００４７】
制御部１３は、送信サーバ１０に設けられた各ブロックを制御する。例えば、制御部１３は、緊急情報及び着信動作識別子を含む同報メッセージの送信を通信部１４に指示する。
【００４８】
通信部１４は、制御部１３の指示に応じて、緊急情報及び着信動作識別子を含む同報メッセージを中継装置２０に送信する。
【００４９】
（中継装置の構成）
以下において、第１実施形態に係る中継装置について、図面を参照しながら説明する。図３は、第１実施形態に係る中継装置２０を示すブロック図である。
【００５０】
図３に示すように、中継装置２０は、通信部２１と、変換部２２とを有する。
【００５１】
通信部２１は、緊急情報及び着信動作識別子を含む同報メッセージ（変換前）を送信サーバ１０から受信する。通信部２１は、緊急情報及び着信動作識別子を含む同報メッセージ（変換後）を無線制御局３１に送信する。
【００５２】
変換部２２は、無線回線による同報配信に適したフォーマットに同報メッセージ（変換前）を変換して、同報メッセージ（変換後）を取得する。同報メッセージ（変換後）は、メッセージの内容が格納されるメッセージフィールドと、特定のメッセージ種別を示すビットが格納される特定種別フィールドとを少なくとも含むフォーマットを有する。
【００５３】
なお、同報メッセージ（変換後）のフォーマットは、ＲＡＮ１００内で用いられるフォーマットであることに留意すべきである。すなわち、同報メッセージ（変換後）のフォーマットは、基地局３２と携帯端末４０との間における無線回線で用いられるフォーマットである。
【００５４】
例えば、中継装置２０がＣＢＣとして機能するケースを例に挙げると、同報メッセージ（変換後）は、図４に示すフォーマットを有する。
【００５５】
図４に示すように、無線回線における同報メッセージ（ＣＢＳメッセージ）は、“Ｓｅｒｉａｌ  Ｎｕｍｂｅｒ”、“Ｍｅｓｓａｇｅ  Ｉｄｅｎｔｉｆｉｅｒ”、“Ｄａｔａ  Ｃｏｄｉｎｇ  Ｓｃｈｅｍｅ”、“Ｐａｇｅ  Ｐａｒａｍｅｔｅｒ”、“Ｃｏｎｔｅｎｔ  ｏｆ  Ｍｅｓｓａｇｅ”を含む（３ＧＰＰ  ＴＳ．２３．０４１  Ｖ７．０．０  ９．４  “Ｍｅｓｓａｇｅ  Ｆｏｒｍａｔ  ｏｎ  ｔｈｅ  Ｒａｄｉｏ  Ｎｅｔｗｏｒｋ−ＭＥ／ＵＥ  Ｉｎｔｅｒｆａｃｅ”）。
【００５６】
“Ｓｅｒｉａｌ  Ｎｕｍｂｅｒ”は、特定の同報メッセージ（ＣＢＳメッセージ）を示すビットが格納されるフィールドである。“Ｓｅｒｉａｌ  Ｎｕｍｂｅｒ”のビット長は、２オクテットである。
【００５７】
“Ｓｅｒｉａｌ  Ｎｕｍｂｅｒ”は、“Ｇｅｏｇｒａｐｈｉｃａｌ  Ｓｃｏｐｅ（ＧＳ）”、“Ｍｅｓｓａｇｅ  Ｃｏｄｅ”及び“Ｕｐｄａｔｅ  Ｎｕｍｂｅｒ”を含む。
【００５８】
“Ｇｅｏｇｒａｐｈｉｃａｌ  Ｓｃｏｐｅ”は、同報メッセージ（ＣＢＳメッセージ）が配信されるべき地理的なエリアを示すビット列である。“Ｇｅｏｇｒａｐｈｉｃａｌ  Ｓｃｏｐｅ”によって示されるエリアは、セルのみ、ＰＬＭＮ（Ｐｕｂｌｉｃ  Ｌａｎｄ  Ｍｏｂｉｌｅ  Ｎｅｔｗｏｒｋ）全体、同種の通信方式（例えば、ＧＳＭやＵＭＴＳ）に対応するセルのみなどでる。
【００５９】
“Ｍｅｓｓａｇｅ  Ｃｏｄｅ”は、同一の送信サーバから送信された同種の同報メッセージ（ＣＢＳメッセージ）を識別するためのビット列である。ここで、“Ｍｅｓｓａｇｅ  Ｃｏｄｅ”は、上述した着信動作識別子を含むことに留意すべきである。例えば、“Ｍｅｓｓａｇｅ  Ｃｏｄｅ”は、図４に示すように、ブザー鳴動識別子及びポップアップ表示識別子に対応するビットがセットされるフィールドを有する。
【００６０】
なお、ブザー鳴動識別子に“１”がセットされている場合には、ブザー鳴動機能によって同報メッセージの着信がユーザに通知される。一方で、ブザー鳴動識別子に“０”がセットされている場合には、ブザー鳴動機能は特に用いられない。
【００６１】
同様に、ポップアップ表示識別子に“１”がセットされている場合には、同報メッセージに含まれる緊急情報がポップアップ表示される。一方で、ポップアップ表示識別子に“０”がセットされている場合には、ポップアップ表示は特に行われない。
【００６２】
“Ｕｐｄａｔｅ  Ｎｕｍｂｅｒ”は、同報メッセージ（ＣＢＳメッセージ）が更新されたメッセージであるか否かを識別するためのビット列である。すなわち、“Ｕｐｄａｔｅ  Ｎｕｍｂｅｒ”は、新同報メッセージ（ＣＢＳメッセージ）及び旧同報メッセージ（ＣＢＳメッセージ）を識別するためのビット列である。
【００６３】
“Ｍｅｓｓａｇｅ  Ｉｄｅｎｔｉｆｉｅｒ”は、同報メッセージ（ＣＢＳメッセージ）の種別及び送信サーバを示す識別子が格納されるフィールドである。“Ｍｅｓｓａｇｅ  Ｉｄｅｎｔｉｆｉｅｒ”のフィイールド長は、２オクテットである。
【００６４】
“Ｄａｔａ  Ｃｏｄｉｎｇ  Ｓｃｈｅｍｅ”は、同報メッセージ（ＣＢＳメッセージ）の符号化方式を示すビット列が格納されるフィイールドである。携帯端末４０は、“Ｄａｔａ  Ｃｏｄｉｎｇ  Ｓｃｈｅｍｅ”を用いて、同報メッセージ（ＣＢＳメッセージ）を復号する。“Ｄａｔａ  Ｃｏｄｉｎｇ  Ｓｃｈｅｍｅ”のフィイールド長は、１オクテットである。
【００６５】
“Ｐａｇｅ  Ｐａｒａｍｅｔｅｒ”は、送信サーバ１０が送信するメッセージ全体のメッセージ長を示すビット列が格納されるフィイールドである。“Ｐａｇｅ  Ｐａｒａｍｅｔｅｒ”は、送信サーバ１０が送信するメッセージ全体において、同報メッセージの順番を示すビット列が格納されるフィイールドである。“Ｐａｇｅ  Ｐａｒａｍｅｔｅｒ”のフィイールド長は、１オクテットである。
【００６６】
“Ｃｏｎｔｅｎｔ  ｏｆ  Ｍｅｓｓａｇｅ”は、同報メッセージ（ＣＢＳメッセージ）の内容が格納されるフィールドである。ここで、“Ｃｏｎｔｅｎｔ  ｏｆ  Ｍｅｓｓａｇｅ”は、緊急情報を含むことに留意すべきである。“Ｃｏｎｔｅｎｔ  ｏｆ  Ｍｅｓｓａｇｅ”のフィールド長は、７〜８８オクテットの範囲内である。
【００６７】
（携帯端末の構成）
以下において、第１実施形態に係る携帯端末について、図面を参照しながら説明する。図５は、第１実施形態に係る携帯端末４０を示すブロック図である。
【００６８】
図５に示すように、携帯端末４０は、通信部４１と、記憶部４２と、制御部４３と、着信処理部４４と、メッセージ処理部４５とを有する。
【００６９】
通信部４１は、緊急情報及び着信動作識別子を含む同報メッセージ（変換後）を基地局３２から受信する。
【００７０】
記憶部４２は、同報メッセージの着信動作を記憶する。例えば、記憶部４２は、同報メッセージの着信をユーザに通知する方法（例えば、着信音、バイブレーションなど）を記憶する。なお、記憶部４２に記憶された着信動作は、ユーザによって設定される。
【００７１】
制御部４３は、携帯端末４０を構成する各ブロックを制御する。例えば、制御部４３は、緊急情報の処理をメッセージ処理部４５に指示する。
【００７２】
また、制御部４３は、着信動作識別子によって示される着信動作（指定着信動作）に従うか否かを判定する。制御部４３は、指定着信動作に従うと判定された場合には、指定着信動作の実行を着信処理部４４に指示する。一方で、制御部４３は、指定着信動作に従わないと判定された場合には、制御部４３に記憶された着信動作（通常着信動作）の実行を着信処理部４４に指示する。
【００７３】
着信処理部４４は、制御部４３の指示に応じて、同報メッセージの着信動作を行う。ここで、着信処理部４４は、同報配信技術としてＣＢＳが用いられる場合には、“Ｓｅｒｉａｌ  Ｎｕｍｂｅｒ”に含まれる“Ｍｅｓｓａｇｅ  Ｃｏｄｅ”を参照して、着信動作識別子の種類を特定する。
【００７４】
メッセージ処理部４５は、制御部４３の指示に応じて、緊急情報をディスプレイ上に表示する。
【００７５】
（送信サーバの動作）
以下において、第１実施形態に係る送信サーバの動作について、図面を参照しながら説明する。図６は、第１実施形態に係る送信サーバ１０の動作を示すフロー図である。
【００７６】
図６に示すように、ステップ１０において、送信サーバ１０は、管理者によって入力された指示や自動プログラムに応じて、緊急情報を含む同報メッセージを送信するか否かを判定する。送信サーバ１０は、同報メッセージを送信する場合には、ステップ１１の処理に移る。
【００７７】
ステップ１１において、送信サーバ１０は、緊急事態の発生を示す緊急情報を生成する。
【００７８】
ステップ１２において、送信サーバ１０は、携帯端末４０の着信動作を少なくとも示す着信動作識別子を生成する。
【００７９】
ステップ１３において、送信サーバ１０は、緊急情報及び着信動作識別子を含む同報メッセージを中継装置２０に送信する。なお、携帯端末４０の着信動作を指定しない場合には、同報メッセージが着信動作識別子を含まないことは勿論である。
【００８０】
（中継装置の動作）
以下において、第１実施形態に係る中継装置の動作について、図面を参照しながら説明する。図７は、第１実施形態に係る中継装置２０の動作を示すフロー図である。
【００８１】
図７に示すように、ステップ２０において、中継装置２０は、同報メッセージを送信サーバ１０から受信したか否かを判定する。中継装置２０は、同報メッセージを受信した場合には、ステップ２１の処理に移る。
【００８２】
ステップ２１において、中継装置２０は、無線回線による同報配信に適したフォーマットに同報メッセージ（変換前）を変換して、同報メッセージ（変換後）を取得する。
【００８３】
ステップ２２において、中継装置２０は、同報メッセージ（変換後）を無線制御局３１に送信する。
【００８４】
（携帯端末の動作）
以下において、第１実施形態に係る携帯端末の動作について、図面を参照しながら説明する。図８は、第１実施形態に係る携帯端末４０の動作を示すフロー図である。
【００８５】
図８に示すように、ステップ３０において、携帯端末４０は、同報メッセージ（変換後）を基地局３２から受信したか否かを判定する。
【００８６】
ステップ３１において、携帯端末４０は、同報メッセージに着信動作識別子が含まれているか否かを判定する。携帯端末４０は、着信動作識別子が含まれている場合には、ステップ３２の処理に移る。一方で、携帯端末４０は、着信動作識別子が含まれていない場合には、ステップ３４の処理に移る。
【００８７】
ステップ３２において、携帯端末４０は、着信動作識別子によって示される着信動作（指定着信動作）に従うか否かを判定する。携帯端末４０は、指定着信動作に従うと判定された場合には、ステップ３３の処理に移る。一方で、携帯端末４０は、指定着信動作に従わないと判定された場合には、ステップ３４の処理に移る。
【００８８】
ステップ３３において、携帯端末４０は、着信動作識別子によって示される着信動作（指定着信動作）に従って、同報メッセージの着信動作を実行する。
【００８９】
ステップ３４において、携帯端末４０は、記憶部４２に記憶された着信動作（通常着信動作）に従って、同報メッセージの着信動作を実行する。
【００９０】
ステップ３５において、携帯端末４０は、同報メッセージに含まれる緊急情報をディスプレイ上に表示する。
【００９１】
（作用及び効果）
第１実施形態によれば、同報メッセージは、緊急情報及び着信動作識別子が別々なフィールドに含まれるフォーマットを有する。従って、無線環境が劣悪であるようなケースにおいて携帯端末４０が緊急情報を復調することができなくても、着信動作識別子に従った着信動作によって、何からの異常が生じたことをユーザに通知することができる。また、携帯端末４０が緊急情報の解析を行わなくても、“Ｓｅｒｉａｌ  Ｎｕｍｂｅｒ”（“Ｍｅｓｓａｇｅ  Ｃｏｄｅ”）に着信動作識別子が含まれるか否かによって、何からの異常が生じたことをユーザに通知することができる。すなわち、携帯端末４０のユーザに災害などの緊急事態の発生を通知する確実性の向上を図ることができる。
【００９２】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９３】
例えば、携帯端末４０の記憶部４２は、着信動作識別子によって示される着信動作に従うか否かを示す許可情報を着信動作識別子毎に記憶していてもよい。同様に、携帯端末４０の記憶部４２は、着信動作識別子に従うか否かを示す許可情報を緊急情報の種類（重要度）毎に記憶していてもよい。なお、許可情報は、ユーザによって設定されることが好ましい。
【００９４】
このようなケースでは、携帯端末４０の制御部４３は、記憶部４２に記憶された許可情報を参照して、着信動作識別子によって示される着信動作に従うか否かを判定する。
【００９５】
送信サーバ１０は、中継装置２０の機能を有していてもよい。このようなケースでは、同報メッセージの変換が不要であることは勿論である。
【図面の簡単な説明】
【００９６】
【図１】第１実施形態に係る緊急情報配信システムを示す図である。
【図２】第１実施形態に係る送信サーバ１０を示すブロック図である。
【図３】第１実施形態に係る中継装置２０を示すブロック図である。
【図４】第１実施形態に係る同報メッセージのフォーマットの一例を示す図である。
【図５】第１実施形態に係る携帯端末４０を示すブロック図である。
【図６】第１実施形態に係る送信サーバ１０の動作を示すフロー図である。
【図７】第１実施形態に係る中継装置２０の動作を示すフロー図である。
【図８】第１実施形態に係る携帯端末４０の動作を示すフロー図である。
【符号の説明】
【００９７】
１０・・・送信サーバ、１１・・・緊急情報生成部、１２・・・着信動作識別子、１３・・・制御部、１４・・・通信部、２０・・・中継装置、２１・・・通信部、２２・・・変換部、３１・・・無線制御局、３２・・・基地局、４０・・・携帯端末、４１・・・通信部、４２・・・記憶部、４３・・・制御部、４４・・・着信処理部、４５・・・メッセージ処理部、１００・・・ＲＡＮ
【図１】
0005222534.tif 000002
【図２】
0005222534.tif 000003
【図３】
0005222534.tif 000004
【図４】
0005222534.tif 000005
【図５】
0005222534.tif 000006
【図６】
0005222534.tif 000007
【図７】
0005222534.tif 000008
【図８】
0005222534.tif 000009